(57)【要約】【課題】児童などが一輪車に乗って連続的に走行練習する。【解決手段】略方形枠状の手摺り２と、該手摺り２を支持する支柱３を立設したベース４とから練習スタンド１が構成され、一輪車に乗った児童などが手摺り２につかまって連続的に周回走行することができる。このため、限られた時間内において、一輪車に乗る時間を大幅に増加させることができ、初心者であっても速やかに体得することができるものとなる。【選択図】  図１
2009107513.tif 000002
【特許請求の範囲】
【請求項１】
略方形枠状の手摺りと、該手摺りを支持する支柱を立設したベースとからなり、一輪車に乗った児童などが手摺りにつかまって連続的に周回走行可能であることを特徴とするループ式一輪車用練習スタンド。
【請求項２】
請求項１記載のループ式一輪車用練習スタンドにおいて、前記略方形枠状の手摺りに複数個の連結金具を介して上方向に間隔をおいて同一の略方形枠状の手摺りが連結されることを特徴とするループ式一輪車用練習スタンド。
【請求項３】
請求項２記載のループ式一輪車用練習スタンドにおいて、前記連結金具がコ字状に形成され、その両端が上下の手摺りの内周側にそれぞれ溶着されることを特徴とするループ式一輪車用練習スタンド。
【請求項４】
請求項１記載のループ式一輪車用練習スタンドにおいて、前記手摺りと同一高さで、その一辺の長さと同一または略同一の長さの補助手摺りと、該補助手摺りを支持する支柱を立設したベースとからなる補助スタンドを、その補助手摺りが手摺りの対応する一辺と平行に、かつ、一輪車に乗った児童などが走行可能な間隔をおいて位置するように設置することを特徴とするループ式一輪車用練習スタンド。
【請求項５】
請求項２記載のループ式一輪車用練習スタンドにおいて、前記上方の手摺りと同一高さで、その一辺の長さと同一または略同一の長さの補助手摺りと、補助手摺りの両端間に連結されて、下方の手摺りと同一高さの補助平行パイプと、補助手摺りを支持する支柱を立設したベースとからなる補助スタンドを、その補助手摺りが手摺りの対応する一辺と平行に、かつ、一輪車に乗った児童などが走行可能な間隔をおいて位置するように設置することを特徴とするループ式一輪車用練習スタンド。
【発明の詳細な説明】
【技術分野】
【０００１】
この発明は、ループ式一輪車用練習スタンドに関するものである。
【背景技術】
【０００２】
一般に、幼稚園や小学校などにおいて、幼児や児童のバランス感覚、反射神経、敏捷性などを養うため、一輪車を教材として使用することが行われている。この場合、一輪車に初心者が乗ることを想定して、校庭などに一輪車用練習スタンドが設置されている。
【０００３】
このような一輪車用練習スタンドは、図６に示すように、設定長さと高さの一対の手摺りを平行にベースに立設して構成されており、教師などの補助者の助けを借りて一輪車に乗った児童などが一対の手摺りにつかまりながら走行することにより、一輪車を体得するものである。
【０００４】
この場合、学年などによる身長差を考慮して手摺りに補助手摺りを付加して上下２段に構成したり、手摺りを３本以上併設して多数の児童などが同時に練習できるようにした練習スタンドも提案されている。
【０００５】
一般に、一輪車は、小学生で１日１時間、連続して３〜４日で１０ｍ以上乗れるといわれている。
【発明の開示】
【発明が解決しようとする課題】
【０００６】
しかしながら、前述した一定長さの手摺りによる練習では、手摺りの長さしか練習することができず、練習が間欠的になるとともに、走行時間も短いものとなる。しかも、一輪車を体育の教材として利用する場合、教師が指導することになるが、意図しないけがなどの発生を防止するため、児童などの一輪車の乗り降りを手助けしながら一人ずつ間隔をあけて一方通行で練習を行う必要があり、各児童などが一輪車に乗っている時間はさらに短くなり、体得するまでに多くの授業時間が必要になる。
【０００７】
本発明は、このような問題点に鑑みてなされたもので、児童などが一輪車に乗って連続的に走行練習することのできるループ式一輪車用練習スタンドを提供するものである。
【課題を解決するための手段】
【０００８】
本発明は、略方形枠状の手摺りと、該手摺りを支持する支柱を立設したベースとからなり、一輪車に乗った児童などが手摺りにつかまって連続的に周回走行可能であることを特徴とするものである。
【０００９】
本発明によれば、一輪車に乗った児童などが手摺りにつかまりながら走行練習することができる。この際、手摺りは、方形枠状であることから、児童などが納得するまで任意の回数周回走行することができ、限られた時間内において、一輪車に乗る時間を大幅に増加させることができ、初心者であっても速やかに一輪車を体得することができる。また、複数人の児童などが同時に練習することも可能となり、体育の教材として一輪車を利用するに際しても、効率良く指導することができる。
【００１０】
本発明において、前記略方形枠状の手摺りに複数個の連結金具を介して上方向に間隔をおいて同一の略方形枠状の手摺りが連結されることが好ましい。これにより、学年などによる身長差があっても、自分に合った適切な高さの手摺りにつかまって走行練習することができる。
【００１１】
本発明において、前記連結金具がコ字状に形成され、その両端が上下の手摺りの内周側にそれぞれ溶着されることが好ましい。これにより、上方の手摺りにつかまって、あるいは、下方の手摺りにつかまりながら一輪車に乗って走行する際、連結金具と手が干渉し、手摺りから手を離す必要がなく、不安感を覚えることなく連続して周回走行することができる。
【００１２】
本発明において、前記手摺りと同一高さで、その一辺の長さと同一または略同一の長さの補助手摺りと、該補助手摺りを支持する支柱を立設したベースとからなる補助スタンドを、その補助手摺りが手摺りの対応する一辺と平行に、かつ、一輪車に乗った児童などが走行可能な間隔をおいて位置するように設置することが好ましい。これにより、一輪車に乗った児童などは、両手を手摺りおよび補助手摺りに一定長さにわたってつかまることができ、安定して走行練習することができる。
【００１３】
本発明において、前記上方の手摺りと同一高さで、その一辺の長さと同一または略同一の長さの補助手摺りと、補助手摺りの両端間に連結されて、下方の手摺りと同一高さの補助平行パイプと、補助手摺りを支持する支柱を立設したベースとからなる補助スタンドを、その補助手摺りが手摺りの対応する一辺と平行に、かつ、一輪車に乗った児童などが走行可能な間隔をおいて位置するように設置することが好ましい。これにより、一輪車に乗った児童などは、両手を自分に合った適切な高さの手摺り、すなわち、上方の手摺りおよび補助手摺り、あるいは、下方の手摺りおよび補助平行パイプに一定長さにわたってつかまることができ、安定して走行練習することができる。
【発明の効果】
【００１４】
本発明によれば、児童などが一輪車に乗って連続的に走行練習することができる。
【発明を実施するための最良の形態】
【００１５】
以下、本発明の実施の形態を図面に基づいて説明する。
【００１６】
図１乃至図３には、本発明のループ式一輪車用練習スタンドの一実施形態が示されている。
【００１７】
この練習スタンド１は、略方形枠状の手摺り２と、手摺り２を支持する支柱３と、支柱３を立設するベース４とから構成されている。
【００１８】
手摺り２は、２本の直線状のパイプおよび２本の略コ字状に折曲されたパイプを図示しない接続パイプを介して接続して略方形枠状に形成されている。そして、実施例においては、２本の同一形状の手摺り２，２が周方向に間隔をおいて配設された複数個の連結金具５を介して上下に設定間隔をおいて連結されている。
【００１９】
ここで、連結金具５は、コ字状に折曲して形成されており、手摺り２の内方に突出するように配置されて、その両端がそれぞれ上下の手摺り２の内周側に溶着されている。
【００２０】
支柱３は、２本の直線状のパイプを図示しない接続パイプを介して接続して形成されて４本用意されており、各上端が下方の手摺り２の隅角部近傍に溶着され、各下端が後述するベース４に溶着されている。
【００２１】
ベース４は、鋼板を台形状に折曲して形成されるとともに、前述した手摺り２の短辺側の長さよりも若干長く設定されて２枚用意されており、手摺り２の各短辺側に近接して配置されている。
【００２２】
なお、支柱３とベース４との間には、三角形状の補強板６が合わせて溶着されている他、詳細には図示しないが、各ベース４は、校庭などにアンカー杭を介してしっかりと固定されている。
【００２３】
ここで、手摺り２は、長辺側の長さが約１９００ｍｍ、短辺側の長さが約１３００ｍｍで、周長が約６４００ｍｍであり、上方の手摺り２の高さは９００ｍｍ、下方の手摺り２の高さが約７００ｍｍに設定されている。
【００２４】
このように構成された練習スタンド１においては、一輪車に乗った児童などが手摺り２につかまって納得するまで連続的に走行練習することができ、限られた時間内において、一輪車に乗っている時間を増加させることができ、初心者であっても速やかに一輪車を体得することができる。しかも、手摺り２を上下２段に設けたことにより、自分に合った上方または下方の手摺り２をつかんで練習することができ、学年などによる身長に関係なく利用することができる。この際、連結金具５が手摺り２の内方に向けて突出して手摺り２の内周側に連結されていることから、一輪車に乗って手摺り２につかまりながら走行する際、連結金具５が児童などの手と干渉することがなく、連結金具５に阻止されて手摺り２から手を離さざるをえなくなって一輪車から降りる必要もなく、中断することなく走行練習することができる。
【００２５】
また、体育の教材として一輪車を利用する場合においても、複数人の児童などが設定間隔をおいて同時に手摺り２につかまって走行練習することができ、効率良く一輪車の指導を行うことができる。
【００２６】
ところで、図４および図５には、本発明の一輪車用練習スタンドの他の実施形態が示されている。
【００２７】
この実施形態の練習スタンド１０は、前述した練習スタンド１に補助練習スタンド１１を併設して構成されている。
【００２８】
この場合、練習スタンド１は、前述した練習スタンド１と同一であり、同一の部材に同一の符号を付して、その詳細な説明を省略する。
【００２９】
補助練習スタンド１１は、略コ字状に折曲されて形成された補助手摺り２１と、補助手摺り２１の各下端にそれぞれ図示しない接続パイプを介して接続された支柱３１と、各支柱３１の下端が溶着されたベース４１とから構成され、補助手摺り２１の両端間には、補助平行パイプ２２が溶着されている。
【００３０】
ここで、補助手摺り２１は、練習スタンド１における上方の手摺り２の高さと同一の高さに設定されるとともに、その長辺側の長さと同一の長さに設定されている。また、補助平行パイプ２２は、練習スタンド１における下方の手摺り２の高さと同一の高さに設定されている。
【００３１】
ベース４１は、上方より見て補助手すり２１の軸線方向に長手方向が直交するように配置されるとともに、その中心よりも若干一方の端部寄りに支柱３１の下端が溶着され、また、ベース４１と支柱３１との間には三角形状の補強板６１が溶着されている。この場合、補強板６１は、上方より見て支柱３１の軸線と直行するように、かつ、ベース４１の長手方向の他方の端部側に配置されている。
【００３２】
このような補助練習スタンド１１は、補助手摺り２１が練習スタンド１における手摺り２の長辺と一輪車に乗った児童などが走行できる間隔をおいて平行に位置するように配置され、図示しないアンカー杭を介して固定されている。この場合、一輪車に乗った児童がつかむことによる力が外方に作用しても、その力に抗するように、補強板６１が外方に位置するように設置される。
【００３３】
このような練習スタンド１０においても、補助練習スタンド１１を利用することなく、練習スタンド１の手摺り２につかまりながら納得するまで連続的に走行練習することができる。また、初心者などが練習する際に、片手では不安を覚える場合には、練習スタンド１における上下の手摺り２と、補助練習スタンド１１における補助手摺り２１、補助平行パイプ２２にそれぞれ左右の手をつかまりながら一定長さにわたって走行練習することもできる。
【図面の簡単な説明】
【００３４】
【図１】本発明のループ式一輪車用練習スタンドの一実施形態を示す斜視図である。
【図２】図１のループ式一輪車用練習スタンドの平面図である。
【図３】図１のループ式一輪車用練習スタンドの正面図である。
【図４】本発明のループ式一輪車用練習スタンドの他の実施形態を示す斜視図である。
【図５】図４のループ式一輪車用練習スタンドの平面図である。
【図６】従来の一輪車用練習スタンドを示す斜視図である。
【符号の説明】
【００３５】
１  ループ式一輪車用練習スタンド
２  手摺り
２１  補助手摺り
２２  補助平行パイプ
３，３１  支柱
４，４１  ベース
５  連結金具
【図１】
2009107513.tif 000003
【図２】
2009107513.tif 000004
【図３】
2009107513.tif 000005
【図４】
2009107513.tif 000006
【図５】
2009107513.tif 000007
【図６】
2009107513.tif 000008